(57)【要約】【課題】空調装置用操作装置において、空調条件を選択する操作及び選択した空調条件の内容や程度を決定する操作が容易でなく、しかもある空調条件から別の空調条件への変更が面倒であった。【解決手段】空調装置は温度を設定する温度設定状態と、吹出口を設定する吹出口設定状態及び風量を設定する風量設定状態との間で切替え可能である。温度を選択するために操作される温度設定ボタン８０と、吹出口を選択するために操作される吹出口設定ボタン８５と、風量を選択するために操作される風量設定設定ボタン９０と、設定温度、設定吹出口及び設定風量を決定するために操作される決定部材７５と、吹出口設定状態及び風量設定状態の経過時間を計測するタイマ１１５と、を備えている。吹出口設定状態及び風量設定状態で所定時間が経過したときは、自動的に温度設定状態に切り替わる。【選択図】  図２
2006264636.tif 000002
【特許請求の範囲】
【請求項１】
基本空調条件を設定する基本空調状態と、関連空調条件を設定する関連空調状態とが切替え可能な空調装置において、
前記基本空調条件を選択するために操作される基本選択部材（８０）と、
前記関連空調条件を選択するために操作される関連選択部材（８５，９０）と、
前記基本空調条件及び前記関連空調条件の内容を決定するために操作される一つの決定部材（７５）と、
前記関連空調状態の経過時間を計測するタイマ（１１５）と、を備え、
前記関連空調条件での経過時間が所定時間をこえたときは、前記基本空調状態に切り替わることを特徴とする空調装置の操作装置。
【請求項２】
前記基本空調状態は設定頻度が高い空調状態で、前記関連空調状態は設定頻度が低い空調状態である請求項１に記載の空調装置用操作装置。
【請求項３】
設定頻度が高い前記基本空調条件は温度で、設定頻度が低い前記関連空調条件は吹出モード及び／又は風量である請求項２に記載の空調装置用操作装置。
【請求項４】
前記基本選択部材及び前記関連選択部材は円周方向に配置され押込可能な複数のボタンであり、前記決定部材は回転可能なダイヤルである請求項３に記載の空調装置用操作装置。
【請求項５】
前記基本選択部材及び前記関連選択部材は横方向に配置され押込可能な複数のボタンであり、前記決定部材は横方向にスライド可能なスライドレバーである請求項３に記載の空調装置用操作装置。
【請求項６】
更に、前記基本選択部材及び前記関連選択部材の選択を表示する第１表示部（１０２から１０４）と、前記決定部材の決定内容を表示する第２表示部（６４，６７から６９，７１）とを備える請求項４又は５に記載の空調装置用操作装置。
【発明の詳細な説明】
【技術分野】
【０００１】
本発明は、車両の空調装置などにおいて、空調条件を選択及び決定するために操作される操作装置に関する。
【背景技術】
【０００２】
車両の空調装置では蒸発器（エバポレータ）を通過した冷風と、ヒータコアを通過した温風とで空調空気を生成する。空調空気の温度、吹出モード及び風量などの空調条件が車室内の空調環境を決める。このうち、温度はエバポレータ及びヒータコアの近傍に配置され、これらを通過する空気量を調整するエアミックスドアの回動角で決まる。吹出しモードはエバポレータ及びヒータコアの下流側に配置され、車室に通じる複数の吹出口を開閉する開閉ドアの回動角度で決まる。風量はファンの回転数で決まる。エアミックスドア、開閉ドア及びファンの作動量を車室内の操作装置で操作する。
【０００３】
従来の車両用空調装置のコントローラ（特許文献１参照）では、吹出モード（吹出口の開閉）を選択するための吹出モード選定つまみ、風量を調整するための風量調整つまみ及び温度を調整するための温度調整つまみが横方向に離れて配置されている。
【特許文献１】特開２００４−２９９４３９号公報
【発明の開示】
【発明が解決しようとする課題】
【０００４】
上記従来のコントローラは、乗員が車室内の最終的な空調環境を設定するまでに手間及び時間がかかる。つまり、吹出モード選定つまみを指でつまんで回動させる動作、手を移動させて風量調整つまみを指でつまんで回動させる動作、更に手を移動させて温度調整つまみを指でつまんで回動させる動作が必要である。
【０００５】
こうした面倒を解消するために、例えば吹出口設定、風量設定及び温度設定をそれぞれ専用のボタン又はスイッチで選択した後、選択した空調条件の内容を共通（一つ）のダイヤル又はレバーで決定することが考えられる。各専用ボタン間の距離を短くし、しかも三つの専用ボタンと共通ダイヤルとの間の間隔を短くすれば、選択した空調条件の決定時は常に共通のダイヤル等を操作すれば良く、従来例のコントローラに比べて空調条件の選択及び決定に要する手間が少なく、時間が短くなる。
【０００６】
しかし、それでもある空調条件から別の空調条件に変わるたびに、専用のボタンを押した後共通のダイヤルを回転させる操作が必要である。例えば風量設定ボタンを押し共通ダイヤルを回した後、温度を設定するには、温度設定ボタンを押し共通ダイヤルを回す必要がある。吹出口設定ボタンを押し共通ダイヤルを回した後、温度を設定する場合も同様である。
【０００７】
本発明は上記課題に鑑みてなされたもので、複数の空調条件からその一つを選択する複数の選択部材と、選択した空調条件の内容を決定する一つの決定部材を含み、特にある選択部材と決定部材とで設定された空調状態を別の空調状態に切り替える際の操作が簡素化された空調装置用操作装置を提供することを目的とする。
【課題を解決するための手段】
【０００８】
（イ）本発明者は、車室の空調環境を決める複数の空調状態の設定頻度、即ち複数の空調条件の選択頻度には多少があることに注目し、設定頻度が多い空調状態を設定する操作部材の操作を簡単にする方策を見出して、本発明を完成した。
【０００９】
本発明の空調装置用操作装置は、請求項１に記載したように、基本空調条件を設定する一つの基本空調状態と、関連空調条件を設定する関連空調状態とが切替え可能な空調装置において、基本空調条件を選択するために操作される基本選択部材と、関連空調条件を選択するために操作される関連選択部材と、基本空調条件及び関連空調条件の内容を決定するために操作される決定部材と、関連空調状態の経過時間を計測するタイマと、を備えている。この操作装置は、設定頻度が低い関連空調状態での経過時間が所定時間をこえたときは、自動的に設定頻度が高い基本空調状態に切り替わる。
【００１０】
（ロ）以下、空調装置用操作装置の構成要素の種々の態様を説明する。
【００１１】
ａ．空調装置、空調条件
空調装置としては車両用空調装置が代表的であるが、これに限定されず、家庭用空調装置も含まれる。代表的な空調条件は温度の高低、吹出モード（吹出口の開閉）の選定及び風量の多少などであるが、これらに限定されない。何れが基本空調条件で何れが関連空調条件でも良いが、温度の高低を基本空調条件とし、吹出口の選定及び風量の多少を関連空調条件とすることが望ましい。空調空気の温度はエアミックスドアの回動角で決まり、吹出モードは複数の開閉ドアの回動角で決まり、風量はファンの回転数で決まる。
【００１２】
ｂ．基本選択部材、関連選択部材
基本選択部材及び関連選択部材は空調装置の複数の空調条件の何れか一つを選択するために操作されるもので、両者の数の合計が空調条件と数と同じになっている。つまり、一つの選択部材で一つの空調条件を選択する。複数の選択部材のうちの一部が基本選択部材で、残部が関連選択部材である。基本選択部材の個数は単数であることが望ましいが、複数でも良い。関連選択部材の個数は複数であることが望ましいが、単数でも良い。
【００１３】
選択頻度が高い選択部材（例えば温度を選択するボタン）を基本選択部材とし、選択頻度が低い選択部材（例えば吹出モードや風量の選択するボタン）を関連選択部材とすることが望ましい。基本選択部材及び関連選択部材の配置には種々のタイプがあり、第１タイプは押込可能で円周方向に配置された複数のボタンから成り、第２タイプは押込可能で横方向に配置された複数のボタンから成る。
【００１４】
ｃ．決定部材
決定部材は上記基本選択部材又は関連選択部材で選択された空調条件の内容を決定するために操作されるもので、本発明では唯一つの決定部材を設ければ足りる。「内容」とは温度の高低、開閉する吹出口の選定又は風量の多少である。決定部材の配置には種々のタイプがあり、第１タイプは回転可能なダイヤルから成り、第２タイプは横方向にスライド可能なスライドレバーから成る。何れのタイプでも、選択された内容をその全レンジで決定する。
【００１５】
基本選択部材及び決定部材で基本空調状態（基本空調モード）が設定され、関連選択部材及び決定部材で関連空調状態（関連空調モード）が設定される。基本空調状態及び関連空調状態の個数はそれぞれ基本選択部材及び関連選択部材の個数に対応する。
【００１６】
ｄ．タイマ
タイマは関連空調状態の経過時間を計測する。ここで「経過時間」とは、要するに、一般に関連空調状態の設定に必要とされる時間であり、例えば関連選択部材の操作開始から起算する。経過時間が所定時間をこえたときは、ＣＰＵなどの制御装置で関連空調状態を自動的に基本空調状態に切り替える。この場合、乗員は基本選択部材を操作することなく決定部材を操作するのみで、直ちに基本空調条件の内容を決定できる。
【００１７】
ｅ．表示部
操作装置は第１表示部及び第２表示部を備えることができる。第１表示部は基本選択部材及び関連選択部材が操作された事実を表示するもので、例えば、基本選択部材及び関連選択部材をその操作時に点灯又は照明すれば良い。これに対して、第２表示部は決定部材の操作により決定される内容を表示するもので、例えば選択部材の近傍に、決定部材の操作方向に沿って配置下表示部を照明すれば良い。
【発明の効果】
【００１８】
本発明の空調装置用操作装置によれば、基本選択部材で選択した基本空調条件又は関連選択部材で選択した関連空調条件の内容を決定する決定部材を一つにした。その結果、選択した基本空調条件及び関連空調条件の内容を常に一つの決定部材で決定でき、内容決定のための操作が簡単かつ容易になる。
【００１９】
また、複数の空調状態間の切替えが容易になる。即ち、関連空調状態での経過時間が所定時間をこえたときは自動的に基本空調状態に切り替える。その結果、乗員は基本操作部材を操作することなく、直ちに決定部材を操作できる。基本操作部材による基本空調条件の選択操作が不要な分、基本空調状態の設定に要する時間が短くなり、手間が少なくなる。
【００２０】
請求項２及び３の空調装置用操作装置によれば、比較的設定頻度が少ない吹出口設定状態及び風量設定状態で所定時間をこえると、比較的設定頻度が高い温度設定状態に自動的に切りかわる。従って、改めて温度選択部材を操作することなく、直ちに決定部材を操作すれば、温度が決定できる。実際の空調条件の設定を考えた場合、温度の選択頻度は吹出モードや風量の選択頻度よりも高いので、温度選択部材の操作が不要になることの意義は大きい。
【００２１】
請求項４の空調装置用操作装置によれば、基本選択部材及び関連選択部材がボタンで決定部材がダイヤルなので、基本操作部材又は関連操作部材の操作に続いて決定部材を操作する際の手や指の移動が小さくて済む。請求項５の空調装置用操作装置によれば、基本選択部材及び関連選択部材がボタンで、決定部材がスライドレバーなので、基本操作部材又は関連操作部材を大きくでき、その操作が容易になる。また、決定部材のレンジを大きくでき、空調条件の細かい調整が可能になる。請求項６の空調装置用操作装置によれば、乗員は第１表示部で基本選択部材及び関連選択部材の操作を視覚的に確認でき、第２表示部で決定部材による決定内容を視覚的に確認できる。
【発明を実施するための最良の形態】
【００２２】
以下、本発明の最良の形態を添付図面を参照しつつ説明する。
【００２３】
＜実施形態＞
（イ）構成
図１に空調装置の全体を示す。筒状の空調ケース１０の上流側（図１で左側）に内外気切替ドア１１が軸支され、ファン１２が収容されている。ファン１２はモータ１３で作動される。中間部にエバポレータ１５及びヒータコア１６が収容され、ヒータコア１６の近くにエアミックスドア１７が軸支されている。下流側にはフットドア１８、フェイスドア２１及びデフドア２３が軸支され、フット吹出口１９、フェイス吹出口２２及びデフ吹出口２４を開閉するようになっている。ファン１２の回転数が空調空気の風量（関連空調条件）を決め、エアミックスドア１７の回動角が空調空気の温度（基本空調条件）を決める。フットドア１８，フェイスドア２１及びデフドア２３の何れを、どの程度回動させるかにより吹出口の開閉即ち吹出モード（関連空調条件）が決まる。
【００２４】
ファン１２を回転させるモータ１３の作動量、エアミックスドア１７を回動させるモータ（不図示）の作動量、及び三つの開閉ドア１８、２１及び２３を開閉させるモータ（不図示）作動量を、図２、図３、図４及び図５に示す操作表示装置で操作及び表示する。
【００２５】
図２に示す操作表示装置の左側部ではフロントデフスイッチ３２、リアデフスイッチ３３及び内外気切替スイッチ３４が上下方向に配置されている。この三つのスイッチ３２から３４の内側には後述する表示板６２上にそれぞれフロントデフ選択表示部３６、リヤデフ選択表示部３７及び内気選択表示部３８が形成されている。フロントデフスイッチ３２を押すと図４に示すＬＥＤ５９ａでフロントデフ表示部３６が照明され、リアデフスイッチ３３を押すとＬＥＤ５９ｂでリヤデフ選択表示部３７が照明され、内外気切替スイッチ３４を押すとＬＥＤ５９ｃで内気選択表示部３８が照明されるようになっている。
【００２６】
右側部では吹出モード及び風量を自動制御するオートスイッチ（ＡＵＴＯ）４２、風量ＯＦＦスイッチ４３、及びコンプレッサを作動させるエアコンスイッチ（Ａ／Ｃ）４４が上下方向に配置されている。オートスイッチ（ＡＵＴＯ）４２及びエアコンスイッチ（Ａ／Ｃ）の内側にそれぞれオート選択表示部４６及びエアコン選択表示部４７が形成されている。オートスイッチ４２を押すと図４に示すＬＥＤ５９ｄでオート選択表示部４６が照明され、エアコンスイッチ４４を押すとＬＥＤ５９ｅでエアコン選択表示部４７が照明されるようになっている。
【００２７】
中央部はケース５２、基板５４、表示板６２、一つのダイヤル７５、三つのボタン８０、８５及び９０、及び表示板１００等を含む。図３及び図４において、ケース５２内に取り付けられた基板５４に三つのＬＥＤ５５ａ、５５ｂ及び５５ｃ，三つのスイッチ５６ａ、５６ｂ及び５６ｃ、一つのロータリエンコーダ５７、三群のＬＥＤ５８ａ、５８ｂ及び５８ｃ及び上記五つのＬＥＤ５９ａから５９ｅが実装されている。
【００２８】
ケース５２及び基板５４を覆う表示板６２の中心の円形孔６３に設定ダイヤル７５が配置されている。設定ダイヤル７５は中心の柱状部７６、外周の円筒部７７及び両者をつなぐ複数の放射部（不図示）を含み、柱状部７６がケース５２の中心支柱５２ａによりに回転可能に支持され、その回転量が上記ロータリエンコーダ５７で検出されるようになっている。設定ダイヤル７５の柱状部７６、円筒部７７及び放射部で区画される空間内に温度設定ボタン８０、吹出口設定ボタン８５及び風量設定ボタン９０が押込み可能に配置されている。
【００２９】
図２及び図３において、温度設定ボタン８０はプリズムから成り、ほぼ三角形状の押さえ部（上壁部）８０ａと内壁部８０ｂとを持ち、外壁部及び底壁部が補強部材８２で補強されている。吹出口設定ボタン８５及び風量設定ボタン９０も同様の構成を持つ。三つのボタン８０，８５及び９０が設定ダイヤル７５の円周を三等分する位置に配置されている。温度設定ボタン８０の押込みが基板５４上のスイッチ５６ａで検知され、吹出口設定ボタン８５の押込みがスイッチ５６ｂで検知され、風量設定ボタン９０の押込みがスイッチ５６ｃで検知される。これらのボタン８０，８５及び９０はそれぞれ図４に示す温度設定用ＬＥＤ５５ａ，吹出口設定用ＬＥＤ５５ｂ又は風量設定用ＬＥＤ５５ｃからの光で点灯される。
【００３０】
設定ダイヤル７５の上端開口に被せた円板形状の表示板１００が三つの温度設定ボタン８０、吹出口設定ボタン８５及び風量設定ボタン９０をおおっている。表示板１００の外周縁に温度設定選択表示部（「ＴＥＭＰ」の文字）１０２、吹出口設定選択表示部（「着席した人」のマーク）１０３及び風量設定選択表示部（「ファン」のマーク）１０４が形成されている。これらの表示部１０２から１０４はボタン８０，８５及び９０が点灯したとき、それぞれ上記ＬＥＤ５５ａ，ＬＥＤ５５ｂ又はＬＥＤ５５ｃにより照明される。
【００３１】
表示板６２上の内周縁に沿って「１８」、「２５」、「３２」、「・・・」、「ＭＯＤＥ」及び「ファンマーク」が形成されている。その外周側に上半周にわたって設定温度表示部６４が形成され、図４に示す設定温度用ＬＥＤ５８ａで照明されるようになっている。「３２」の下方に形成された吹出口Ｆデフ表示部６７、吹出口横表示部６８及び吹出口下表示部６９は設定吹出口用ＬＥＤ５８ｂで照明される。「１８」の下方に形成された設定風量表示部７１は設定風量用ＬＥＤ５８ｃで照明される。
【００３２】
図５に制御系統図を示す。ＣＰＵ１１０に電源、リセットを介してイグニッションスイッチ１１２が接続されている。また、上記温度設定ボタン８０の押込みでオンするスイッチ５６ａ、吹出口設定ボタン８５の押込みでオンするスイッチ５６ｂ、及び風量設定ボタン９０の押込みでオンするスイッチ５６ｃからの押込信号が入力されている。さらに、設定ダイヤル７５の回動量を検知するロータリエンコーダ５７からの信号がＣＰＵ１１０に入力されている。
【００３３】
ＣＰＵ１１０から温度設定用ＬＥＤ５５ａ、吹出口設定用ＬＥＤ５６ｂ及び風量設定用ＬＥＤ５６ｃに信号が発せられる。また、設定温度用ＬＥＤ５８ａ、設定吹出口用ＬＥＤ５８ｂ及び設定用風量ＬＥＤ５８ｃに信号が発せられる。一方、ＣＰＵ１１０からファン１２を駆動するモータ１３や、エアミックスドア１７及び開閉ドア１８、２１及び２３を駆動するモータ（不図示）に駆動信号が発せられる。更に、吹出口設定ボタン８５の押込後の経過時間及び風量設定ボタン９０の押込後の経過時間を計測するタイマ１１５が内蔵されている。
【００３４】
（ロ）作用
次に、図６のフローチャートを参照しつつ実施形態の作用を説明する。ステップＳ１０において、エアコンスイッチ４４の押込みで状態判定処理がスタートする。ステップＳ１１で温度設定ボタン８０がオンされたか否かを判定する。ＹＥＳの場合ステップＳ１２に進んで状態を温度設定状態（基本空調状態）の設定を開始し、ステップＳ１３で温度設定用ＬＥＤ５５ａがオンして発光し、温度設定ボタン８０が点灯され、温度設定選択表示部１０２が照明される。ステップＳ１４で吹出口設定用ＬＥＤ５５ｂをオフし、ステップＳ１５で風量設定用ＬＥＤ５５ｃをオフする。その結果、設定ダイヤル７５はその全レンジが温度決定状態になる。
【００３５】
次に、ステップＳ１６で設定ダイヤル７５を回転すると、設定温度用ＬＥＤ５８ａの発光で設定温度表示部６４が回転量に対応した範囲で円弧状に照明される。また、エアミックスドア１７が回動し、設定ダイヤル７５で決定した温度に設定され、温度設定状態の設定を終了する。
【００３６】
上記ステップＳ１１での判定がＮＯの場合はステップＳ２１に進み、吹出口設定ボタン８５がオンされたか否かを判定する。ステップＳ１１での判定がＮＯの場合とは、温度設定ボタン８０を押さず吹出口設定ボタン８５を押す場合、及び温度設定の終了後吹出口設定ボタン８５を押す場合である。
【００３７】
ステップＳ２１での判断がＹＥＳの場合、ステップＳ２２で状態を吹出口設定状態（関連空調状態）の設定を開始する。ステップＳ２３で温度設定用ＬＥＤ５５ａをオフし、ステップＳ２４で吹出口設定用ＬＥＤ５５ｂをオンして吹出口設定ボタン８５を点灯させ、吹出モード設定選択表示部１０３を照明する。ステップＳ２５で風量設定用ＬＥＤ５５ｃをオフする。その結果、設定ダイヤル７５はその全レンジが吹出口決定状態になる。
【００３８】
ステップＳ２６で設定ダイヤル７５を回転すると、吹出口設定用ＬＥＤ５８ｂの発光で回転量に対応した設定吹出口表示部６７，６８又は６９が点灯する。また、開閉ドア１８、２１又は２３が回動し、設定ダイヤル７５で決定した吹出口１９，２２又は２４が開閉され、吹出口設定状態の設定が終了する。ステップＳ２７でタイマ１１５により吹出口設定ボタン８５の押込後の経過時間を計測し、所定時間（例えば５秒）経過すると吹出口設定状態が自動的に温度設定状態に切り替わる。具体的には、ステップＳ１２に移行し、温度設定ボタン８０が点灯する。なお、所定時間は、吹出口設定ボタン８５の押込み及び設定ダイヤル７５の回転に通常必要とされ時間を考慮して選定している。
【００３９】
上記ステップＳ２１での判定がＮＯの場合はステップＳ３１に進み、風量設定ボタン９０がオンされたか否かを判定する。ステップＳ２１での判定がＮＯの場合とは、温度設定ボタン８０を押さず風量設定ボタン９０を押す場合、及び温度設定又は吹出口設定が終了した後、吹出口設定ボタン８５を押す場合である。ステップＳ３１での判断がＹＥＳの場合、ステップＳ３２で状態を風量設定状態（関連空調状態）の設定を開始する。ステップＳ３３で温度設定用ＬＥＤ５５ａをオフし、ステップＳ３４で吹出口設定ＬＥＤ５５ｂをオフする。ステップＳ３５で風量設定用ＬＥＤ５５ｃをオンし、風量設定ボタン９０を点灯させ風量設定選択表示部１０４を照明する。その結果、設定ダイヤル７５はその全レンジが風量決定状態になる。
【００４０】
ステップＳ３６で設定ダイヤル７５を回転すると、設定風量用ＬＥＤ５８ｃの発光で回転量に対応した範囲の設定風量表示部７１が円弧状に点灯する。また、ファン１３が回転し、設定ダイヤル７５で決定した風量に設定され、風量設定状態が終了する。ステップＳ３７でタイマ１１５により風量設定ボタン９０の押込後の経過時間を計測し、所定時間（例えば５秒）経過すると風量設定状態が自動的に温度設定状態に切り替わる。具体的には、ステップＳ１２に移行し、温度設定ボタン８０が点灯する。
【００４１】
こうして、温度設定、吹出モード設定及び風量設定の何れも、ステップＳ１７で状態判定処理を終了する。これから分かるように、吹出口設定状態で所定時間経過後は、自動的に温度設定状態に切り替わる。所定時間経過後とは、エアコンスイッチ４４のオン後温度を設定することなく吹出モードを設定した場合、及び前回の操作で温度を設定し今回の操作で吹出モードを設定したときの両方を含む。
【００４２】
同様に、風量設定状態で所定時間経過後は、自動的に温度設定状態に切り替わる。所定時間経過後とは、エアコンスイッチ４４のオン後温度を設定することなく吹出モードを設定した場合、及び前回の操作で温度を設定し今回の操作で風量を設定したときの両方を含む。
【００４３】
（ハ）効果
実施形態によれば、以下の効果が得られる。まず、三つの空調状態間の切替え、特に吹出口設定状態及び風量設定状態から温度設定状態への切替えが簡単になる。吹出口設定状態や風量設定状態で所定時間が経過したときは自動的に温度設定状態に戻すからである。従って、例えば吹出口設定ボタン８５を押し設定ダイヤル７５を回転した後、温度を設定するときは、直ちに設定ダイヤル７５を回転すれば良い。改めて温度設定ボタン８０を押すことは不要である。風量設定ボタン９０を押し設定ダイヤル７５を回転した後、温度を設定するときも同様である。
【００４４】
実際に車室内の空調環境を設定する際、温度設定と吹出モード設定を併行して行う場合や、温度設定と風量設定を併行して行う場合が多い。この実施形態によれば、こうした場合に設定ダイヤル７５の操作回数を少なくできる。
【００４５】
また、温度の設定、吹出モードの設定及び風量の設定にそれぞれ要する手間が少なく、しかも時間が短くなる。これは、温度の高低、吹出口の選定及び風量の多少を単一の設定ダイヤル７５で決定したことによる。例えば温度設定ボタン８０を押込み設定ダイヤル７５を回転させる際、温度設定ボタン８０と設定ダイヤル７５との間の距離は非常に近いので、選択時と決定時とで手を移動させる必要がない。更に、温度設定ボタン８０、吹出口設定ボタン８５及び風量設定ボタン９０は何れも設定ダイヤル７５内に配置され相互間の距離が短い。従って、三つのボタン８０，８５及び９０をスペース効率を配置でき、操作表示装置をコンパクトにできる。
【００４６】
加えて、温度設定ボタン８０，吹出口設定ボタン８５及び風量設定ボタン９０の押込みを、それぞれ温度設定選択表示部１０２，吹出口設定選択表示部１０３及び風量設定選択表示部１０４で視覚的に確認できる。また、温度設定ボタン８０を押した後設定ダイヤル７５を回転させると、温度設定ボタン８０のすぐ外周側にある設定温度表示部６４が回転量に対応する範囲だけ照明され、設定ダイヤル７５の回転方向と設定温度表示部６４の点灯方向とが一致している。従って、乗員は温度値を直感的に把握に確認できる。吹出口設定ボタン８５を押した後設定ダイヤル７５を回転させる場合、風量ボタン９０を押した後設定ダイヤル７５を回転させる場合も同様である。
【００４７】
＜変形例＞
以下、上記実施形態の変形例を示す。なお、実施形態と同じ構成は同じ参照番号で示し、異なる構成を中心に説明する。
【００４８】
（１）第１変形例
図７及び８に示す第１変形例では、温度設定ボタン１２２，吹出口設定ボタン１２４及び風量設定ボタン１２６と、設定ダイヤル１２０との位置関係が変更されている。即ち、設定ダイヤル１２０は外径が比較的小さく、その周辺に温度設定ボタン１２２、吹出口設定ボタン１２４及び風量設定ボタン１２６が円周方向に配置されている。温度設定ボタン１２２は、断面矩形状を持ち半周にわたって延び、表示板６２の切欠き孔６３に挿入され、その上に温度設定選択表示部１２３が形成されている。
【００４９】
吹出口設定ボタン１２４及び風量設定ボタン１２６はそれぞれ四分の一周にわたって延び、その上にそれぞれ吹出モード設定選択表示部１２５及び風量設定選択表示部１２７が形成されている。ケース５２に収容された基板５４にはスイッチ５６ａ、温度設定用ＬＥＤ５５ａ及び設定温度用ＬＥＤ５８ａなどが配置されている。
【００５０】
第１変形例によれば、例えば、吹出口設定状態で吹出口設定ボタン１２４を押し設定ダイヤル１２０を回転させた場合、ボタン１２４の押込みから所定時間経過すると、自動的に温度設定状態に切り替わり、温度設定ボタン１２２が照明される。従って、設定ダイヤル１２０を回転させるのみで温度が決定できる。風量設定ボタン１２６及び設定ダイヤル１２０で風量を設定した後、温度を設定する場合も同様である。
【００５１】
また、例えば温度設定ボタン１２２を押すとスイッチ５６ａがオンし、ＬＥＤ５５ａからの発光で温度設定選択表示部１２３が照明され、乗員は温度設定状態の選択を視覚的に確認できる。温度設定ボタン１２２を設定ダイヤル１２０の外周側に配置したので、操作表示装置のコンパクト性を維持しつつ、温度設定ボタン１２２などを操作しやすくなっている。更に、設定ダイヤル１２０を回転すると、ＬＥＤ５８ａからの発光で回転量に応じた範囲の設定温度表示部６４が照明され、設定温度を直感的に把握できる。
【００５２】
これらの事情は、吹出口設定ボタン１２４の押込み時及び設定ダイヤル１２０の回転時、及び風量設定ボタン１２６の押込み時及び設定ダイヤル１２０の回転時についても同様である。
【００５３】
（２）第２変形例
図９に示す第２変形例では、選択部材が横方向に並び押込み可能な三つのボタン１３２、１３４及び１３６から成り、決定部材がスライドレバー１３０から成る。詳述すると、押込み可能な温度設定ボタン１３２、風量設定ボタン１３４及び吹出口設定ボタン１３６が横方向に配置されている。温度設定ボタン１３２上に温度設定選択表示部１３３が形成され、風量設定ボタン１３４上に風量設定選択表示部１３５が形成され、吹出口設定ボタン１３６上に吹出口設定選択表示部１３７が形成されている。
【００５４】
温度設定ボタン１３２、風量設定ボタン１３４及び吹出口設定ボタン１３６の下方に、横方向にスライド可能なスライドレバー１３０が配置されている。温度設定ボタン１３２の上方に設定温度表示部１４２が、風量設定ボタン１３４の直上方に設定風量表示部１４４が、吹出口設定ボタン１３６の上方に吹出口表示部１４６が、それぞれ形成されている。
【００５５】
この第２変形例によれば、例えば、風量設定状態で風量設定ボタン１３４を押しスライドレバー１３０をスライドさせた場合、ボタン１３４の押込みから所定時間経過すると、自動的に温度設定状態に切り替わり、温度設定ボタン１３２が照明される。従って、スライドレバー１３０をスライドさせるのみで温度が決定できる。吹出口設定ボタン１３６及びスライドレバー１３０で吹出口を設定した後、温度を設定する場合も同様である。
【００５６】
乗員が温度設定ボタン１３２を押すと温度設定選択表示部１３３が照明され、乗員は温度設定ボタン１３２の押込みを視覚的に確認できる。また、移動ストロークが大きなスライドレバー１３０の全レンジが温度決定範囲になるので、スライドにより温度を正確に決定できる。更に、スライドレバー１３０のスライド時は、温度設定ボタン１３２の上方にある設定温度表示部１４２のスライド量に対応する範囲が照明され、点灯方向はスライド方向と一致する。従って、乗員は設定温度を直感的に把握できる。
【００５７】
同様に、風量設定ボタン１３４を押すと風量設定選択表示部１３５が照明され、スライドレバー１３０のスライド時は設定風量表示部１４４がスライド量に対応して照明される。また、吹出口設定ボタン１３６を押すと吹出口設定選択表示部１３７が照明され、スライドレバー１３０のスライド時は設定吹出口表示部１４６の何れかが照明される。
【図面の簡単な説明】
【００５８】
【図１】最良の形態の実施形態が適用される空調装置の説明図である。
【図２】実施形態の操作表示装置の正面図（外観図）である。
【図３】図２の３−３断面図である。
【図４】実施形態におけるスイッチ及びＬＥＤの配置を示す説明図である。
【図５】実施形態の制御系統の説明図である。
【図６】実施形態の作用を説明するフローチャートである。
【図７】第１変形例を示す図２に対応する正面図である。
【図８】図７の８−８断面図である。
【図９】第２変形例を示す図２に対応する正面図である。
【符号の説明】
【００５９】
１０：空調ケース            １２：ファン            １７：エアミックスドア
１８，２１，２３：開閉ドア        ５２：ケース      ５４：基板
５５ａから５５ｃ：スイッチ      ５６ａから５６ｃ、５８ａから５８ｃ：ＬＥＤ
６４，６７から６９，７１：第２表示部        ７５：設定ダイヤル
８０：温度設定ボタン          ８５：吹出口設定ボタン
９０：風量設定ボタン    １０２，１０３，１０４：第１表示部
【図１】
2006264636.tif 000003
【図２】
2006264636.tif 000004
【図３】
2006264636.tif 000005
【図４】
2006264636.tif 000006
【図５】
2006264636.tif 000007
【図６】
2006264636.tif 000008
【図７】
2006264636.tif 000009
【図８】
2006264636.tif 000010
【図９】
2006264636.tif 000011